(57)【特許請求の範囲】
【請求項１】
両側面に光ファイバ心線導入口（７）を有する多数の心線接続部収納ケース（３）と、これらの収納ケースを厚さ方向に配列して個別に抜き差しできるように保持する多数のケース保持部（２４）を備えた受け台（５）とからなる光ファイバ心線接続部収納用具において、前記受け台（５）は、底板（１５）上に、多数の仕切り板（１７）により仕切られた、光ファイバ心線（３３）が前記収納ケース（３）の心線導入方向に通り抜け可能な多数の心線通過スペース（Ｓ２）を有し、前記各ケース保持部（２４）は前記仕切り板（１７）の上端の両側に設けられており、各心線通過スペース（Ｓ２）はそれぞれ前記ケース保持部（２４）の各ケース収納スペース（Ｓ１）と連続していることを特徴とする光ファイバ心線接続部収納用具。
【発明の詳細な説明】
【０００１】
【発明の属する技術分野】
本発明は、光ケーブル接続箱などの中に設置される光ファイバ心線接続部収納用具に関するものである。
【０００２】
【従来の技術】
一般に、光ケーブル接続箱の中には、両端から箱内に導入された光ケーブルの端部を固定する１対の固定部材と、これらの固定部材を連結する連結部材と、この連結部材の中間に取り付けられた光ファイバ心線接続部収納用具とが設置されている。
【０００３】
従来の光ファイバ心線接続部収納用具は、多数の心線接続部収納ケースと、これらの収納ケースを厚さ方向に配列して個別に抜き差しできるように保持する多数のケース保持部を備えた受け台とで構成されている。連結部材は受け台の前後に２本渡されていて、受け台は、心線接続部収納ケースの心線導入方向が光ケーブルの軸線方向を向くように、２本の連結部材の間に固定されている。
【０００４】
一方の光ケーブルの端部から引き出された光ファイバ心線は、２本の連結部材の間を通り、受け台の下を通って、当該光ケーブルの反対側でＵターンして心線接続部収納ケースに導入されるようになっている。他方の光ケーブルから引き出された光ファイバ心線も方向は反対であるが接続箱内で同様に配線される。光ファイバ心線をこのように配線する理由は、光ファイバ心線に余長をもたせて、心線接続部収納ケースを受け台から抜き出せるようにするためである。
【０００５】
【発明が解決しようとする課題】
しかし従来の構造では、両方の光ケーブルから引き出された光ファイバ心線がそれぞれ受け台を下側から抱え込む形になるため、次のような問題がある。すなわち、何れかの心線接続部収納ケースを受け台から抜き出して作業を行おうとすると、当該収納ケースに対応する光ファイバ心線が受け台に接触して引きつれを起こしたり、他の光ファイバ心線と絡み合ったりして、障害が発生しやすい。また心線接続部収納ケースを受け台から十分に抜き出せるようにするためには光ファイバ心線の余長をかなり大きくとる必要があり、光ファイバ心線が錯綜しやすい。
【０００６】
本発明の目的は、このような問題点に鑑み、光ファイバ心線の引きつれ、絡み合い、錯綜などが発生しにくい、作業性の良好な光ファイバ心線接続部収納用具を提供することにある。
【０００７】
【課題を解決するための手段】
この目的を達成するため本願発明は、両側面に光ファイバ心線導入口を有する多数の心線接続部収納ケースと、これらの収納ケースを厚さ方向に配列して個別に抜き差しできるように保持する多数のケース保持部を備えた受け台とからなる光ファイバ心線接続部収納用具において、前記受け台は、底板上に、多数の仕切り板により仕切られた、光ファイバ心線が前記収納ケースの心線導入方向に通り抜け可能な多数の心線通過スペースを有し、前記各ケース保持部は前記仕切り板の上端の両側に設けられており、各心線通過スペースはそれぞれ前記ケース保持部の各ケース収納スペースと連続していることを特徴とするものである。
【０００８】
【発明の実施の形態】
以下、本発明の実施形態を図面を参照して詳細に説明する。図１は本発明に係る光ファイバ心線接続部収納用具の一実施形態を示す。この光ファイバ心線接続部収納用具１は、多数の心線接続部収納ケース３と、受け台５とで構成されている。
【０００９】
心線接続部収納ケース３は従来と同様のもので、図２に示すように、分割面Ｐで縦に二つ割りでき、両側面が光ファイバ心線の導入口７となっており、上面に把手９が突設されているものである。また正面と両側面の角部および背面と両側面の角部にはガイド溝１１が形成され、かつ両側面の下端部には略Ｔ形の係止片１３が突設されている。
【００１０】
次に受け台５は、図３および図４に示すように、底板１５上に多数の仕切り板１７が収納ケース３の厚さに相当する間隔（仕切り板１７の中心面の間隔）で立設され、かつ各仕切り板１７の上端の両側に支柱１９が立設されているものである。仕切り板１７の上端は図４に示すように中央部が凹んでおり、両端部が収納ケース３を載せる肩１７ａとなっている。支柱１９には、内面側に突出して収納ケース３を上下方向にガイドする突条２１と、この突条２１より外側で前後方向に突出して収納ケース３の係止片１３と係合するリブ２３が形成されている。
【００１１】
収納ケース３と受け台５の関係は図５のようになっている。すなわち、収納ケース３は受け台５の４本の支柱１９で囲まれるスペースＳ1 に上から差し込まれる。このとき収納ケース３のガイド溝１１に支柱１９の突条２１が入り、これによって収納ケース３は上下方向にガイドされる。また収納ケース３の下端の係止片１３はリブ２３の間に入り、リブ２３によって両端から押されて弾性変形しながら下降する。収納ケース３は、その下面が仕切り板の肩１７ａに突き当たるまで押し込まれる。収納ケース３の下面が仕切り板の肩１７ａに突き当たると、係止片１３はリブ２３の下端の下に入って広がり、収納ケース３の引き抜けを防止する働きをする。
【００１２】
なお仕切り板１７の肩１７ａには、その肉厚の半分に一つの収納ケース３の一部が載り、残りの半分にその隣の収納ケース３の一部が載るようになっている。これにより多数の収納ケース３は図１に示すように厚さ方向に隣接した状態で配列されることになる。
この仕切り板１７の肩１７ａと、前述した突条２１を有する支柱１９とは、収納ケース３を所定の位置に保持するケース保持部２４を構成している。
【００１３】
収納ケース３は仕切り板の肩１７ａまでしか差し込めないため、収納ケース３の下面と底板１５の間には、仕切り板１７で仕切られたスペースＳ2 ができる。このスペースＳ2 は光ファイバ心線が収納ケース３の心線導入方向に通り抜け可能な心線通過スペースを構成している。この心線通過スペースＳ2 は、図３（Ｂ）に示すように、支柱１９に囲まれたケース収納スペースＳ1 と連続している。したがって収納ケース３を引き抜いた状態では、心線通過スペースＳ2 に光ファイバ心線を上から出し入れすることが可能である。
なお底板１５の両側には、受け台５を連結部材（後述）に取り付けるためのブラケット２５が一体に形成されている。
【００１４】
図６は以上のように構成された光ファイバ心線接続部収納用具１の使用状態を示す。図において、２７Ａ、２７Ｂはケーブル接続箱（図示せず）内の両端付近に設置された固定部材、２９はケーブル接続箱内で固定部材２７Ａ、２７Ｂを連結する連結部材、３１はケーブル接続箱内に導入され、端部を固定部材２７Ａに把持された光ケーブル、３３は光ケーブル３１の端部から引き出された光ファイバ心線である。
【００１５】
収納用具１の受け台５は、収納ケース３の心線導入方向が光ケーブル３１の軸線方向を向くように、連結部材２９の中間部に取り付けられている。光ケーブル３１の端部から出ている光ファイバ心線３３は、収納ケース３の下の心線通過スペースＳ2 （図１参照）を通り、光ケーブル３１の反対側でＵターンして心線接続部収納ケース３に導入される。図示を省略したが、他方の固定部材２７Ｂにも光ケーブルが把持されており、その光ケーブルから出ている光ファイバ心線も方向は反対であるが同様に配線され、収納ケース３に反対側から導入される。受け台５には、収納ケース３の抜け出しをより確実に防止するため図７に示すような略Ｌ字形の押さえ部材３５がねじ止めされている。
【００１６】
このような構造で、多数の収納ケース３うちの何れかで作業をする必要が生じた場合には、押さえ部材３５を取り外した後、目的の収納ケース３を受け台５から抜き出して作業を行う。このとき、引き出した収納ケース３に対応する光ファイバ心線３３は、その下の心線通過スペースＳ2 に収納されているから、収納ケース３を抜き出しても光ファイバ心線３３に引きつれや絡み合いが生じるおそれがない。また光ファイバ心線３３は心線通過スペースＳ2 から全部引き出すことができるので、光ファイバ心線３３の余長を従来より短くすることができる。
【００１７】
【発明の効果】
以上説明したように本発明によれば、受け台の各ケース保持部に心線接続部収納ケースが保持され、それに対応する光ファイバ心線が収納ケースの下の心線通過スペースに収納されるようになっているため、ケース保持部から収納ケースを抜き出すときに、それに対応する光ファイバ心線を一緒に引き出すことが可能である。したがって光ファイバ心線の引きつれ、絡み合い、錯綜などが発生しにくく、また光ファイバ心線の余長を従来より短くできる利点がある。
【図面の簡単な説明】
【図１】  本発明に係る光ファイバ心線接続部収納用具の一実施形態を示す、（Ａ）は正面図、（Ｂ）は側面図、（Ｃ）は平面図。
【図２】  図１の収納用具を構成する心線接続部収納ケースの、（Ａ）は正面図、（Ｂ）は側面図、（Ｃ）は平面図。
【図３】  図１の収納用具を構成する受け台の、（Ａ）は正面図、（Ｂ）は側面図、（Ｃ）は平面図。
【図４】  図３（Ｃ）のａ−ａ線における断面図。
【図５】  図１の収納用具の、収納ケースと受け台の関係を示す要部の平面図。
【図６】  図１の収納用具の使用状態を示す正面図。
【図７】  図１の収納用具に用いられる押さえ部材の、（Ａ）は正面図、（Ｂ）は側面図、（Ｃ）は平面図。
【符号の説明】
１：光ファイバ心線接続部収納用具
３：心線接続部収納ケース
５：受け台
７：光ファイバ心線導入口
１５：底板
１７：仕切り板
１７ａ：仕切り板の肩
１９：支柱
２７Ａ、２７Ｂ：ケーブル固定部材
２９：連結部材
３１：光ケーブル
３３：光ファイバ心線
【図１】
0004114977.tif 000002
【図２】
0004114977.tif 000003
【図３】
0004114977.tif 000004
【図４】
0004114977.tif 000005
【図５】
0004114977.tif 000006
【図６】
0004114977.tif 000007
【図７】
0004114977.tif 000008